(57)【要約】  【課題】浄化対象水中の窒素を効果的に取り除くと同時に、総合的な水浄化力に優れる水浄化システムを提供すること。    【解決手段】少なくとも下記の水浄化機構が組み込まれていることを特徴とする水浄化システムを提供することにより、上記の課題を解決し得ることを見出した。（１）浄化対象水に対する第１の水浄化機構として用いられる、上向流嫌気性汚泥床を水の浄化手段とする、嫌気性浄化機構。（２）上記機構（１）により得られる第１の浄化処理水に対する、第２の水浄化機構として用いられる、好気性細菌叢が設けられ、かつ、導入された第１の浄化処理水の当該細菌叢における水位を上下させることが可能なサイホン機構が設けられている、ウエット／ドライ式浄化機構。  【選択図】  図１
2006272117.tif 000002
【特許請求の範囲】
【請求項１】
少なくとも下記の水浄化機構が組み込まれていることを特徴とする水浄化システム：
（１）浄化対象水に対する第１の水浄化機構として用いられる、上向流嫌気性汚泥床を水の浄化手段とする、嫌気性浄化機構。
（２）上記機構（１）により得られる第１の浄化処理水に対する、第２の水浄化機構として用いられる、好気性細菌叢が設けられ、かつ、導入された第１の浄化処理水の当該細菌叢における水位を上下させることが可能なサイホン機構が設けられている、ウエット／ドライ式浄化機構。
【請求項２】
前記好気性細菌叢が、アルギン酸カルシウム、ポリウレタン発泡体、多孔性セラミックス、ポリアクリルアミド、寒天、アクリルアミドモノマー、カラギーナン、アルギン酸ソーダ、ポリビニルアルコール及び硫酸カリウム、小形溶岩礫（スコリア）、活性炭からなる群から選ばれる１種以上の素材を用いた好気性細菌叢として構成されることを特徴とする、請求項１記載の水浄化システム。
【請求項３】
前記浄化対象水が下水であることを特徴とする、請求項１又は２記載の水浄化システム。
【請求項４】
請求項１〜３記載のいずれかの水浄化システムにおいて、浄化対象水に対して嫌気性浄化機構（１）における浄化処理を行い、次いで、当該浄化処理水に対してウエット／ドライ式浄化機構（２）における浄化処理を行うことを特徴とする、水の浄化方法。
【請求項５】
上記機構（１）及び（２）を備えた水浄化装置であって、かつ、当該水浄化装置とは別個に設けられた浄化対象水の供給部において、一体として着脱可能なことを特徴とする、請求項１記載の水浄化システムにおいて用いる水浄化装置。
【発明の詳細な説明】
【技術分野】
【０００１】
本発明は、水の浄化システム、より具体的には、生活排水や産業排水に由来する下水等における窒素を、特に効果的に除去するための水の浄化システムに関する発明である。
【背景技術】
【０００２】
人間を含め、全ての生物にとって良好な水環境を維持することは、地球規模で非常に重要なことである。この目的を達成するために、様々な手段が提供されている。
【０００３】
しかしながら、現在深刻な問題となっている河川やダム湖におけるアオコの発生や有毒微生物の増殖に伴って認められる富栄養化の主な要因は、窒素及びリンが、生活排水及び産業排水の規制値以上に含まれていたことが大きな原因であるといわれている。
【０００４】
そのため、現在、日本では、水について、水質汚濁防止法の改正に伴い、これまで対象外であった窒素及びリンの総量規制を加えることとなった。
【特許文献１】特開平１０−７６２５１号公報
【特許文献２】登録実用新案第３０２２１９４号公報
【発明の開示】
【発明が解決しようとする課題】
【０００５】
本発明が解決すべき課題は、上記の窒素及びリンのうち、特に窒素の除去に有効であり、かつ、総合的な浄水手段として有用な技術を提供することにある。
【０００６】
現状においても、浄化対象水（下水、排水、し尿等）の窒素除去プロセスには多くの方法が提案されているが、それらのうちでも生物学的硝化・脱窒プロセスは、処理効果、安定性、経済性等の面から、最も有力なプロセスであると考えられている。
【０００７】
現に提供されている生物学的硝化・脱窒プロセスとしては、例えば、循環式硝化脱窒法、ステップ流入式嫌気好気脱窒法等が挙げられるが、いずれも、好気的処理である硝化と、嫌気的処理である脱窒を組み合わせたプロセスであり、生物反応を利用して窒素除去を行うものである。
【０００８】
しかしながら、現状における生物学的硝化・脱窒プロセスには、大規模な設備を必要とし、一旦設置を行ってしまうと、事後的な微脱窒能力の増強等を行うことが困難であるという問題が認められる。また、脱窒能力そのものについても、充分に満足のいくレベルに達しているとはいえない。
【課題を解決するための手段】
【０００９】
本発明者は、この課題を解決するために鋭意検討を重ねた結果、少なくとも下記の水浄化機構が組み込まれていることを特徴とする水浄化システム（以下、本浄化システムともいう）は、脱窒素性能と省スペース性を兼ね備えた水浄化システムであり、これにより、上記の課題を解決し得ることを見出した。
【００１０】
（１）浄化対象水に対する第１の水浄化機構として用いられる、上向流嫌気性汚泥床を水の浄化手段とする、嫌気性浄化機構（以下、嫌気性機構ともいう）。
【００１１】
（２）上記機構（１）により得られる第１の浄化処理水に対する、第２の水浄化機構として用いられる、好気性細菌叢が設けられ、かつ、導入された第１の浄化処理水の当該細菌叢における水位を上下させることが可能なサイホン機構が設けられている、ウエット／ドライ式浄化機構（以下、ウエット／ドライ式機構ともいう）。
【００１２】
本浄化システムにおいては、浄化対象水に対して（１）嫌気性機構における浄化処理を行い、次いで、当該浄化処理水に対してウエット／ドライ式機構（２）における浄化処理を行うことで、（１）嫌気性機構において、メタン生成菌による有機物の処理又は脱窒菌による窒素除去が行われ、（２）ウエット／ドライ式機構において、亜硝酸菌と硝酸菌により浄化処理対象水中のアンモニア性窒素が硝酸性窒素に変換され（ドライ：好気性過程）、さらに、脱窒菌による窒素除去が行われる（ウエット：嫌気性過程）。この（１）〜（２）のサイクルを１回以上繰り返すことにより、浄化対象水の浄化が行われる。本浄化システムによる浄化は、特に窒素の除去能力に優れている。
【００１３】
本発明において嫌気性機構として用いられる水の浄化手段は、「上向流嫌気性汚泥床を水の浄化手段とする嫌気性浄化機構」である（以下、ＵＡＳＢともいう）。ＵＡＳＢは、Upflow Anaerobic Sludge Blanket（上昇流嫌気性スラッジブランケット法）の略語である。ＵＡＳＢ法は、付着担体等を使用せず、嫌気性微生物の持つ自己固定化作用を利用して、汚泥をグラニュール状（粒状）に増殖させ、その結果反応槽内への微生物の高濃度保持を実現し、廃水の高速処理を可能にする廃水処理技術である。
【００１４】
また、ウエット／ドライ式機構は、サイホンの原理を利用して浄水対象水の干満を浄化機構内で繰り返すことで、当該機構内にて、嫌気状態と好気状態を繰り返し作り出すことが可能な機構である（例えば、特許文献１〜２）。
【００１５】
本浄化システムでは、浄化対象水、例えば、生活排水や産業廃水に由来する下水や中水を、当該システムに導入することにより、所望の水の浄化を行うシステムである。本浄化システムでは、下水のような、特に汚れが激しい水を対象に水の浄化を行うことが可能であり、この点、浄化対象水が、雨水や水槽水である特許文献１〜２とは大きく異なる。また、本浄化システムにおける（１）嫌気性機構と（２）ウエット／ドライ式機構からなる部分を「水浄化装置」としてとらえると、当該水浄化装置は、従来の嫌気性細菌や好気性細菌の水浄化能力を活用した水浄化装置に比べて格段に小単位化が可能であり、具体的な浄水状況に合わせて、当該水浄化装置を浄化対象水供給部において自由に着脱することもできる。
【００１６】
本浄化システムにおける浄化対象水の初期導入は、（１）嫌気性機構と（２）ウエット／ドライ式機構のいずれでも可能であるが、浄化対象水は、導入時にすでに嫌気的状態となっていることが通常であることを考慮すると、当該初期導入は（１）嫌気性機構に対して行うことが好適である。そして、本浄化システムにおいては、浄化対象水を（１）嫌気性機構と（２）ウエット／ドライ式機構の組に対して、１サイクル以上の処理を行うことにより、特に窒素除去に強みを有する水浄化を行うことが可能である。
【００１７】
特に、（１）嫌気性機構においては、当該機構における温度条件等を調節することにより、当該機構において浄化を行う微生物を、メタン生成菌又は脱窒菌に選択することが可能である。例えば、浄化対象水が通常の下水の場合には（１）嫌気性機構内の温度を、中温〜高温（２５〜６０℃程度）に保って、（１）嫌気性機構においてメタン生成菌による有機物質に対する浄化を行うことが好適である。また、浄化対象水において、特に、窒素の効率的な除去が要求される場合には、（１）嫌気性機構内の温度を低温（３〜１５℃程度）とすることにより、嫌気性機構においても脱窒菌による窒素の除去を行うことが可能である。さらに、「中温〜高温に保たれた（１）嫌気性機構」と、「低温に保たれた（１）嫌気性機構」を組み合わせて用いることも可能である。そして、このような（１）嫌気性機構と、特に窒素の浄化能力に優れる（２）ウエット／ドライ式機構を組とした浄化システムとすることで、上述した水浄化を行うことが可能となるのである。
【発明の効果】
【００１８】
本発明により、浄化対象水中の窒素を効果的に取り除くと同時に、総合的な水浄化力に優れる水浄化システムが提供される。また、この水浄化システムは、従来の水浄化システムに比べると用いる水浄化装置の小型単位化が可能であり、これにより、水浄化の必要程度に応じた水浄化力の増強や減少を容易に行うことが可能となる。
【発明を実施するための最良の形態】
【００１９】
以下、本発明の形態と試験例を、図面を用いつつ説明する。
【００２０】
図１は、本浄化システムの一実施例（１００）の全体概略図である。図１において、貯水槽１０（一般的には地下に構造物として設けられる）から、導水管１０ａを介して嫌気性機構２０へと浄化対象水１１を導入することが可能になっている［例えば、揚水ポンプ（図示せず）により、浄化対象水を貯水槽１０から嫌気性機構２０（２０−１）に向けて揚水することにより導入することができる：矢印Ａ］。嫌気性機構２０は、複数のＵＡＳＢ槽２０−１〜２０−４が連結されて構成されており、各々のＵＡＳＢ槽は、導水管２０ａ〜２０ｃを介して連結されており、ＵＡＳＢ槽２０−１から２０−４に向かって（矢印Ｂ）浄化対象水が移動することが可能なように設定されている。また、ＵＡＳＢ槽２０−４と貯水槽１０は導水管２０ｄを介して連結され、必要に応じて導水可能な状態になっている（矢印Ｃ）。さらに、嫌気性機構２０（ＵＡＳＢ槽２０−４）とウエット／ドライ式機構（以下、ウエット／ドライ槽ともいう）３０は、導水管２０ｅを介して導水可能となっている（矢印D、E）。また、ウエット／ドライ槽３０と貯水槽１０は導水管３０aを介して連結され、矢印F方向に導水可能な状態になっている（矢印F）。
【００２１】
図２は、嫌気性機構２０を構成するＵＡＳＢ槽２０−１の概略縦断面図である（他のＵＡＳＢ槽も実質的に同一である）。ＵＡＳＢ槽２０−１は、底部がすり鉢状となった円筒部材２１１を主要な部材としており、これはＵＡＳＢ槽の一般的な形態である。円筒部材２１１の底部には、水流入口２１３が開口している。さらに、円筒部材２１１の上端部近傍には、脱気口２６が設けられている気固分離装置２４と、微生物捕捉器２５経由で、導水管２０ａが設けられている。また、円筒部材２１１の高さ中央よりやや上の内壁面には、外側が厚く内側が薄いリング状部材２３が、固液分離手段として当該部材の横断面に沿って設けられている。
【００２２】
貯水槽１０に貯留された浄化対象水１１は、揚水ポンプ等の揚水手段により、導水管１０ａを介して、水流入口２１３からＵＡＳＢ槽２０−１内に導入される。浄化対象水１１は、導水管１０ａ内を非常に遅い速度（概ね０．６〜  １．０Ｌ／時間程度）で移動させるように設定を行うことが好適である。すなわち、浄化対象水が導水管１０ａ内を非常に遅い速度で移動することで、移動中に浄化対象水１１内において増殖したバクテリアが徐々に当該水１１中の酸素を奪うのに十分な時間が確保され、当該水１１は貧〜無酸素状態となって、嫌気性菌が増殖するのに好適な状態で、ＵＡＳＢ槽２０−１内に導入される。当該ＵＡＳＢ槽２０−１内では、同槽底部に生物学的に形成されて蓄積された汚泥ペット２２１と汚泥ブランケット２２２を通過して上方に移動してゆく。なお、汚泥ペット２２１と汚泥ブランケット２２２を構成する固形物は、固液分離手段として設けられているリング状部材２３によりトラップされ、容易に当該リング状部材２３の上方へは移動しないようになっている。浄化対象水１１の移動の過程において、当該水内の汚水成分を栄養源として、汚泥ペット２２１と汚泥ブランケット２２２内の嫌気性微生物（メタン産生菌又は脱窒菌）による嫌気性発酵が起こり、浄化対象水１１内の有機物がメタンと二酸化炭素に分解されるか（メタン産生菌による）、硝酸イオンが窒素に酸化される（脱窒菌：硝酸イオンは、ウエット／ドライ槽３０の未処理分として供給される）。この際に発生する遊離ガス及び汚泥自体から離脱したガスは、気固分離装置２４のガス分離用蓋中に補集され、ガス排出管２６を介してＵＡＳＢ槽２０−１内から外部に導かれる（この排出ガスの有効利用を行うことも可能である）。いくらかの残存固形物や生物粒子を含む液は、徐々に下方に沈み、汚泥ペット２２１と汚泥ブランケット２２２内に沈んで行く。そして、このようにして嫌気性微生物による浄化過程を経た浄化対象水１１の上澄み部分は、微生物捕捉器２５経由で余分な固形物が除去された状態で、導水管２０ａ内を、ＵＡＳＢ槽２０−２内に向けて流れて行き、上記と同様の嫌気性微生物による浄化が当該槽２０−２内で繰り返される。嫌気性機構２０の最終浄化を行うＵＡＳＢ槽２０−４から浄化水を外部に出すための導水管としては、ウエット／ドライ槽３０に通じている２０ｅの他に、貯水槽１０に通じている導水管２０ｄを設けることが好適である。導水管２０ｄから貯水槽１０への水の流出は、水の浄化具合や流水量等に応じて適宜選択をすることが可能となっていることが好適である。
【００２３】
嫌気性機構２０におけるＵＡＳＢ槽の数は必要に応じて適宜調節することが可能である。また、各々の槽内における嫌気性微生物を、温度を調整することによって、メタン産生菌及び脱窒菌のいずれかとすることができる。また、導水管１０ａは、ジョイント部１０ａ１において着脱可能となっていることが、ＵＡＳＢ槽、ひいては、本浄化システムを構成する嫌気性機構とウエット／ドライ式機構全体（本発明の水浄化装置）の着脱を容易にすることができるという点において好適である。
【００２４】
図３は、ウエット／ドライ式機構３０の一実施例の概略を示した縦断面図である。ウエット／ドライ式機構３０は、高さＨ１の筒状部材３１の閉じた底面３１１近傍に、当該筒状部材３１の横断面をカバーする簡易フィルター３２が設けられ、その上に好気性細菌叢を形成する微生物保持担体３３が、当該筒状部材の上面近傍まで充填されている。また、簡易フィルター３２と底面３１１の間の開口部を通じて、導水管３０ａが設けられている。導水管３０ａの筒状部材３１の近傍部分は、前記Ｈ１よりも低い高さＨ２まで上方向に設けられており、高さＨ２の頂点から貯水槽１０までは、高さＨ３で下降している。ここで、高さＨ３は高さＨ２よりも大きいことが、所望のウエット／ドライをサイホンの原理により実現するために必要である（この点、図１は逆に見えるが、これは本図が模式図である故の表現である。実際には貯水槽１０は地下等の低い場所に設けられるものであり、この条件は満たされる。）。嫌気性機構２０からの導水管２０ａを経由した第一次浄化水は、筒状部材３１の上部からウエット／ドライ式機構３０に導入されるが、導入の際、散水手段３４（回転モーター３４１の下に、簡易フィルター３４２でカバーされた散水装置３４３が装着されている。この形態の散水手段３４では、簡易フィルター３４２と散水装置３４３をカートリッジ式にして、洗浄・交換を容易にすることが好適である。）。
【００２５】
ウエット／ドライ式機構３０において、簡易フィルター３４２、３２は、粗大不純物を除去するためのフィルターであり、メッシュフィルター、紙フィルター、布フィルター、セラミックフィルター等を用いることができるが、これらに限定されるものではない。また、微生物保持担体３３は、例えば、アルギン酸カルシウム、ポリウレタン発泡体、多孔性セラミックス、ポリアクリルアミド、寒天、アクリルアミドモノマー、カラギーナン、アルギン酸ソーダ、ポリビニルアルコール、又は、硫酸カリウム、小形溶岩礫（スコリア）、活性炭等を挙げることができるが、好気性細菌を保持することが可能である限り、特に限定されない。これらの中でも、特に、ポリウレタン発泡体、多孔性セラミックス等が好ましい。また、微生物保持担体３３の形態は、小塊状、球状、キューブ状、リング状等の小単位の担体の集合物であってもよく、カラム状の担体であってもよい。
【００２６】
導水管２０ｃから散水手段３４を介して、ウエット／ドライ式機構３０の上部から導入された第一次浄化水は、微生物保持担体３３の上部から徐々に当該担体と接触しながら下降する。この下降の過程で、第一次浄化水は、微生物保持担体３３において活動する硝酸菌・亜硝酸菌と接触して、アンモニアイオンが硝酸イオンに変換されつつ、ウエット／ドライ式機構３０の下部から貯留して徐々に水かさが増す。この貯留水の中は嫌気状態であり、通性嫌気性菌である脱窒菌により、貯留水中の硝酸イオンが窒素へと還元され、空気中に放出されることとなる。この貯留水の水位と同じ水位で導水管３０ａの初期上昇部の第二次浄化水の水位が増し、ウエット／ドライ式機構３０における水位がＨ２よりも高くなると、導水管３０ａの第二次浄化水は、サイホンの原理により、Ｈ３の高さの下降部に連続的に落ち込み、一旦ウエット／ドライ式機構３０の内部の水のほとんどは、導水管３０ａから貯水槽１０に向けて放出される。この放出後、再び、ウエット／ドライ式機構３０中の水位は上昇に向かうが、しばらくは、微生物保持担体３３はドライ状態が継続し、当該担体では好気性菌である硝酸菌・亜硝酸菌の活動が活発となる。このようにして、サイホンの原理により、槽内の水位が周期的に上下し、ウエット（嫌気）／ドライ（好気）の切り替えが繰り返し行われることが、ウエット／ドライ式機構３０の特徴である。
【００２７】
ウエット／ドライ式機構３０は、本実施例で示したように、１個の槽から構成されてもよいが、必要に応じて複数個の槽を連結してもよい。また、また、導水管３０ａは、ジョイント部３０ａ１において着脱可能となっていることが、ウエット／ドライ式機構、ひいては、本浄化システムを構成するウエット／ドライ式機構と嫌気性機構全体（本発明の水浄化装置）の着脱を容易にすることができるという点において好適である。
【００２８】
なお、このウエット／ドライ式機構の形態は、他の形態であってもよく、例えば、筒状体３１の内部に、微生物保持担体を配置した他の筒状体（中央部にやや低い高さの排水管が配置されている）を配置し、当該他の筒状体の外側を導水部として、第一次浄化水の導水を行い、当該第一次浄化水を上昇水として微生物保持担体と接触させ、上記排出管からサイホンの原理を利用して、微生物保持担体と接触した第二次浄化水を外部へと排出させることも可能である（特許文献１）。また、この他の例の導水部と微生物保持担体の充填部を取り替えて、当該導水部と担体充填部の水の流通を可能として、当該担体充填部の下部から第一次浄化水を導水することも可能である（特許文献２）。
【００２９】
このようにして、浄化対象水１１がＡ→Ｆの順番で移動し（繰り返し移動も可能である）、その過程で、嫌気性機構２０とウエット／ドライ式機構３０における生物的な浄化が行われる本浄化システム１００が構成される。本浄化システム１００は、嫌気性機構２０とウエット／ドライ式機構３０を本質的部分とし、特に、一体として着脱可能な形態であることが好適である（本発明の水浄化装置）。
【００３０】
上述したように、本浄化システムは、浄化対象水中の窒素を効果的に取り除くと同時に、総合的な水浄化力に優れている。また、この水浄化システムは、従来の水浄化システムに比べると用いる水浄化装置の小型単位化が可能であり、これにより、水浄化の必要程度に応じた水浄化力の増強や減少を容易に行うことが可能である。
［試験例］
図１に示した本浄化システムを基にした、本発明の有用性を示す試験を行った。
【００３１】
試験設備
基本的には図１に示した設備を用いて行った。
【００３２】
貯水槽１０の中には、生活排水の下水が１８〜２０Ｌ入っており、試験期間中は、全く攪拌は行わなかった。さらに、試験は、九州地方において６／３０〜７／１３の２週間にわたって行われ、一切の温度調整は行わなかった。よって、ＵＡＳＢ槽２０−１〜４（４台）においては、メタン産生菌による嫌気性浄化が行われていたものと断定される。
【００３３】
ＵＡＳＢ槽２０−１〜４は、いずれも０．６Ｌ容の同一のものを用いた。また、ウエット／ドライ式機構３０は、内径125mm x 高さ500mmのものを１台用いた。当該ウエット／ドライ式機構３０の中に充填した微生物保持担体は、独立発泡型多孔性セラミックス（１cm3程度）であり、これを２〜３Ｌ容分と、容量調整のため水を入れた0.5L容ポリプロピレンボトル2本を充填し貯水容量2Ｌ容になるように調整した、図１に示したように充填した。
【００３４】
貯水槽１０内の浄化対象水（下水）は、揚水ポンプにより、25.6 ml/min (37 L/day)で揚水して、各試験システム内を循環させた。
【００３５】
試験項目
比較例１：グラニュール発酵（ＵＡＳＢ槽２０−１〜４のみを用いた。循環ルートは、Ａ→Ｂ→Ｃ）
【００３６】
比較例２：独立発泡型多孔性セラミックス担体（１cm3程度の小塊状）をUASB槽に充填し種菌としてグラニュールを破砕懸濁した溶液を100ml投入（ＵＡＳＢ槽２０−１〜４のみを用いた。循環ルートは、Ａ→Ｂ→Ｃ）。
【００３７】
比較例３：連続多孔型セラミックス担体（リング状）をUASB槽に充填し種菌としてグラニュールを破砕懸濁した溶液を100ml投入した。循環ルートは、Ａ→Ｂ→Ｃ）
実施例１：本浄化システム（ＵＡＳＢ槽２０−１〜４＋ウエット／ドライ式機構３０：循環ルートは、Ａ→Ｂ→Ｄ→Ｅ→Ｆ）
【００３８】
検査項目等
検査項目は、ｐＨ、ＳＳ（Suspended Solid）、ＢＯＤ(Biochemical Oxygen Demand)、ＣＯＤ(Chemical Oxygen Demand)、Ｔ−Ｐ（全リン）、Ｔ−Ｎ（全窒素）、ＮＯ２−Ｎ（亜硝酸態窒素）、ＮＯ３−Ｎ（硝酸態窒素）について、常法に従って行い、貯水槽１０からの検査対象水のサンプリングは、試験開始０日後、１週間後、及び、２週間後、に行った。
【００３９】
検査結果
上記試験の検査結果を下記表1〜４に示す。
【００４０】
【表１】
2006272117.tif 000003
【００４１】
【表２】
2006272117.tif 000004
【００４２】
【表３】
2006272117.tif 000005
【００４３】
【表４】
2006272117.tif 000006
【００４４】
このように、本浄化システム（実施例１）と他のシステム（比較例１〜３）の浄化試験における比較によって、特に、全窒素（TN）とBODにおいて、本浄化システムの有用性が明らかになった。
【図面の簡単な説明】
【００４５】
【図１】本浄化システムの一実施例の全体概略図である。
【図２】嫌気性機構を構成するＵＡＳＢ槽の概略縦断面図である。
【図３】ウエット／ドライ式機構の一実施例の概略を示した縦断面図である。
【図１】
2006272117.tif 000007
【図２】
2006272117.tif 000008
【図３】
2006272117.tif 000009